(57)【要約】【課題】特にグロメットに組付けたピンが不用意に外れて落下するという虞を解消したり、取扱性及び貫通孔への挿入性を向上する。【解決手段】複数の脚片３２によりピン２を受け入れるよう中空に形成された脚部３０、及び前記脚部上周囲に突出された鍔部３５を有し、パネル等の貫通孔に対し前記脚部３０を挿入し前記ピンの脚部内への押入により前記各脚片を拡開し係止可能となるグロメット３において、前記鍔部３５は、前記脚片同士の間の隙間に通じるよう切り欠いた開口３４と、前記開口を介して対向している一方端部側に設けられたフック部３８、及び他方端部側に設けられて前記開口を前記フック部とで閉じた状態に保つと共に相対的に所定距離だけ移動可能に係合する係合部３９を有していることを特徴としている。【選択図】図２
2012246963.tif 000002
【特許請求の範囲】
【請求項１】
複数の脚片によりピンを受け入れるよう中空に形成された脚部、及び前記脚部上周囲に突出された鍔部を有し、パネル等の貫通孔に対し前記脚部を挿入し前記ピンの脚部内への押入により前記各脚片を拡開し係止可能となるグロメットにおいて、
前記鍔部は、前記脚片同士の間の隙間に通じるよう切り欠いた開口と、前記開口を挟んで対向している一方端部側に設けられたフック部、及び他方端部側に設けられて前記開口を前記フック部とで閉じた状態に保つと共に相対的に所定距離だけ移動可能となるよう前記フック部に係合する係合部を有していることを特徴とするグロメット。
【請求項２】
前記鍔部は、前記フック部とほぼ対向した箇所に設けられたヒンジ部を有し、前記ヒンジ部を介し弾性変位して前記開口を開閉可能にすることを特徴とする請求項１に記載のグロメット。
【請求項３】
前記ヒンジ部は前記鍔部の外周側に設けられていることを特徴とする請求項２に記載のグロメット。
【請求項４】
前記フック部及び前記係合部は互いに上下に重ねられるよう設けられていることを特徴とする請求項１から３の何れかに記載のグロメット。
【請求項５】
前記フック部は、前記鍔部の厚さより薄い平板部及び前記平板部の先端に立設された掛止部からなることを特徴とする請求項１から４の何れかに記載のグロメット。
【請求項６】
前記脚部は前記脚片を少なくとも４つ有しているとともに、前記鍔部を構成している前記ヒンジ部を挟んだ鍔半体同士は前記フック部が前記係合部に係合された状態において前記ヒンジ部の弾性力に抗して拡径態様から互いに近づく縮径方向に移動されることを特徴とする請求項２から５の何れかに記載のグロメット。
【発明の詳細な説明】
【技術分野】
【０００１】
本発明は、ピンと共にクリップを構成するグロメットに関し、特にピンを挿入する中空の脚部及び脚部上周囲に突出された鍔部を有したグロメットに関する。
【背景技術】
【０００２】
図９は特許文献１に開示のクリップを示している。 このクリップ１はピン２とそのピンを受入れる中空のグロメット（ブッシュ）３からなる。グロメット３は、２つの半筒状の脚片（半体）９Ａ，９Ｂによりピン２を挿入する中空に形成された脚部（胴部）９、及び各脚片９Ａ，９Ｂの上周囲に突出された半円板状体１０Ａ，１０Ｂからなる鍔部（フランジ部）１０を有し、パネル等に設けられた貫通孔に対し脚部９を挿入しピン２の脚部内への押入により各脚片を拡開し係止可能となる。また、脚部９には、ピンの軸部５を軸方向と直交する方向に受入れる開口１３が設けられている。脚部９及び鍔部１０は、開口１３に対向した箇所に設けられた薄肉部であるヒンジ部１４を介し半径方向外方に拡開可能となっている。
【０００３】
これに対し、ピン２は、グロメット３の中空部に収容される軸部５と、軸部５の一端に形成されたフランジ６とを有している。軸部５の張出部は、同（ａ）のごとく非締結位置ないしは仮組付け位置にあるとき脚部９の外径を拡開しない先端側の狭幅部と、締結位置ないしは本止め位置にあるとき脚部の外径を拡開するフランジ６側の広幅部とを有している。
【０００４】
以上の構造では、ピン２がグロメット３に対して開口１３から押込んで仮組付け位置に組付けられ、これにより、ピン２をグロメット３に組付けた状態にて作業でき、ピン２の押込みによって軸部５の広幅部が脚部９を構成している脚片同士の間の隙間及び開口１３を広げて各脚片９Ａ，９Ｂを半径方向外方に拡開するためグロメット全体の長さを短く形成できるとされている。
【先行技術文献】
【特許文献】
【０００５】
【特許文献１】特許第４５４５７１１号公報
【発明の概要】
【発明が解決しようとする課題】
【０００６】
上記特許文献１のものは、ピン２がグロメット３に対し開口１３から押し込められた仮組付け状態にして取り扱うことができる。しかし、この従来構造では、まず、パネル等の貫通孔に挿入される前段階、つまり製造後の部品管理や搬送過程などにおいて、脚部９を構成している半円筒状部９Ａ,９Ｂ及び鍔部１０を構成している半円板状体１０Ａ,１０Ｂが常にヒンジ部１４を介して拡径され易くなっているため、ピン３がグロメット３から不用意に外れたり落下する虞がある。また、脚部９及び鍔部１０は、ヒンジ部１４を介して拡縮されるためパネル等の貫通孔の孔径に対し汎用性を有しているが、適用可能な最大孔径、最小孔径の設定が難く、それに起因して必要以上の荷重がかかって破損要因となる。しかも、鍔部１０を構成している半円板状体１０Ａ，１０Ｂは、ヒンジ部１４が鍔部の内周側に設けられているため開口１３を広げようとすると外周縁がぶつかり合って規制され易くなる。脚部９を構成している半円筒状部９Ａ,９Ｂは２分割構成であるため撓み難い。
【０００７】
本発明の目的は、以上のような課題を解消して、特許文献１と同じくパネル等に設けられた貫通孔の孔径に対する汎用性やピンの組付け性に優れるという利点に加え、組付けたピンが不用意に外れたり落下の虞を確実に解消にし、取扱性及び貫通孔への挿入性を向上することにある。他の目的は以下の内容説明のなかで明らかにする。
【課題を解決するための手段】
【０００８】
上記目的を達成するため本発明は、形態例を参考にして特定すると、複数の脚片３２によりピン２を受け入れるよう中空に形成された脚部３０、及び前記脚部上周囲に突出された鍔部３５を有し、パネル等の貫通孔に対し前記脚部３０を挿入し前記ピンの脚部内への押入により前記各脚片を拡開し係止可能となるグロメット３において、前記鍔部３５は、前記脚片同士の間の隙間に通じるよう切り欠いた開口３４と、前記開口を挟んで対向している一方端部側に設けられたフック部３８、及び他方端部側に設けられて前記開口を前記フック部とで閉じた状態を保つと共に相対的に所定距離だけ移動可能となるよう前記フック部に係合する係合部３９を有していることを特徴としている。
【０００９】
以上の本発明は、請求項２〜６で特定したように具体化されることがより好ましい。
（ア）、前記鍔部３５は、前記フック部３８とほぼ対向した箇所に設けられたヒンジ部３７を有し、前記ヒンジ部を介し弾性変位して前記開口３４を開閉可能にする構成である（請求項２）。
（イ）、前記ヒンジ部３７は前記鍔部３５の外周側に設けられている構成である（請求項３）。
【００１０】
（ウ）、前記フック部３８及び前記係合部３９は互いに上下に重ねられるよう設けられている構成である（請求項４）。
（エ）、前記フック部３８は、前記鍔部３５の厚さより薄い平板部３８ａ及び前記平板部の先端に立設された掛止部３８ｂからなる構成である（請求項５）。
（オ）、前記脚部３０は前記脚片３２を少なくとも４つ有しているとともに、前記鍔部３５を構成している前記ヒンジ部３７を挟んだ鍔半体３５Ａ，３５Ｂ同士は前記フック部３８が前記係合部３９に係合された状態において前記ヒンジ部３７の弾性力に抗して拡径態様から互いに近づく縮径方向に移動される構成である（請求項６）。
【発明の効果】
【００１１】
請求項１の発明では、グロメットが鍔部に設けられた開口の存在により脚部を含めて縮径変位可能なためパネル等の貫通孔の孔径に対する汎用性、及びピンとの組付け性に優れている点で特許文献１と同じであり、それに加え、フック部を係合部に係合しておくことで開口の拡開を防いでピンの不用意な外れを解消でき、しかも図２のごとくフック部を係合部に係合した状態でピンを仮組付けしておくことで全体の形状が定まるためパネル等の貫通孔に対する安定かつ良好な挿入操作が維持できる。
【００１２】
請求項２の発明では、鍔部がフック部とほぼ対向した箇所に設けられたヒンジ部、つまり撓む箇所を一点にすることで他の部分の剛性を保ったり、耐久性を持たせた状態で弾性変位性も得られる。
【００１３】
請求項３の発明では、請求項２のヒンジ部が鍔部の外周側に設けられていると、特許文献１のごとく内周側に受ける構成に比べ開口を広げようとするときに規制され難く、かつ見栄えも維持できる。
【００１４】
請求項４の発明では、鍔部が互いに上下に重ねられるよう配置されるフック部及び係合部により形態例のごとく鍔部全体をほぼ同じ厚さないしは高さに維持できるようにし、それにより外観特性を良好に保つことができる。
【００１５】
請求項５の発明では、フック部が薄い平板部及び平板部上の掛止部からなるため簡単明瞭で鍔部に一体に形成し成形性も良好に得られる。
【００１６】
請求項６の発明では、脚部が４以上からなるため弾性変位し易く、それにより例えば貫通孔に低押圧力で挿入可能となる。また、鍔半体同士がフック部と係合部の係合状態においてヒンジ部の弾性力に抗して縮径方向に移動されるため、例えば図２（ｂ）のパネル等の貫通孔に入れた挿入状態で孔内に拘束され易くなり、これによって振動が加わっても不用意な抜けや浮き上がりなどがなくなって使い勝手を向上できる。
【図面の簡単な説明】
【００１７】
【図１】形態例のグロメットを使用態様で示し、（ａ）は上面図、（ｂ）は側面図である。
【図２】パネル等の貫通孔に対する上記グロメットの挿入態様での作動を示し、（ａ）は前記貫通孔が設計値より径大の場合での前記グロメットの状態図、（ｂ）は前記貫通孔が設計値よりも径小の場合での前記グロメットの状態図である。
【図３】（ａ）は図２（ａ）の態様からピンを押入した後の使用状態での断面図、（ｂ）は図２（ｂ）の態様からピンを押入した後の使用状態での断面図である。
【図４】上記ピン単品を示し、（ａ）は上面図、（ｂ）は正面図、（ｃ）は（ｂ）のＡ−Ａ線断面図、（ｄ）は（ｃ）のＢ方向から見た側面図である。
【図５】上記グロメット単品を示し、（ａ）はグロメットの成形状態での正面図、（ｂ）と（ｃ）はフック部を係合部に係合した状態においてパネル等の貫通孔が大小の孔径のときの作動図である。
【図６】（ａ）は図５（ａ）のＣ−Ｃ線断面図、（ｂ）は図５（ｂ）のＣ1−Ｃ1線断面図である。
【図７】（ａ）は図５（ａ）のＤ−Ｄ線断面図、（ｂ）は図５（ｂ）のＤ1−Ｄ1線断面図である。
【図８】（ａ）は図５（ａ）のＥ−Ｅ線断面図、（ｂ）は図５（ｂ）のＥ1−Ｅ1線断面図である。
【図９】特許文献１の構造を示し、（ａ）はグロメットにピンを組付けた状態を示す正面図、（ｂ）は下面図、（ｃ）は前記グロメットの斜視図である。
【発明を実施するための形態】
【００１８】
以下、本発明の形態例について図１〜図８を参照しながら説明する。この説明では、構造を明らかにした後、作動特徴に言及する。
【００１９】
（構造）形態例のグロメット３はピン２と共にクリップ１を構成している。クリップ１としては、例えば、図１及び図２に示されるごとく１以上の板部材６をパネルなど他の板部材４に取り付ける場合、図５に示されるごとく２以上の板部材８を積層状態に連結する場合などに用いられる。
【００２０】
ここで、請求項１の『パネル等の貫通孔』は、ピン２及びグロメット３からなるクリップ１の用途により、例えば、１以上の板部材６をパネル等の他の板部材４に取り付けるような場合だと他の板部材４に設けられる取付用貫通孔５となり、２以上の板部材８同士を連結するような態様だと各板部材８に設けられる連結用貫通孔９となる。
【００２１】
次に、グロメット３と共に用いられるピン２の具体例をまず明らかにする。このピン２は、図４に例示されるごとく樹脂成形品であり、頭部２０及び頭部２０に下設された軸部２１を有している。頭部２０は略円盤状に形成されている。軸部２１は、頭部下面の中心から突設され、先端２５に向けて、上軸部２２、係止軸部２３、下軸部２４を順に配置している。外径は係止軸部２３が最も径大であり、下軸部２４が最も径小である。また、係止軸部２３は、上軸部２２と下軸部２４との間に位置しており、上軸部２２との接続部に形成された上側に向かって径小となるテーパー状の本止め用段差２３ａと、下軸部２４との接続部に形成された下側に向かって径小となるでテーパー部２３ｂとを有している。
【００２２】
軸部２１の外周面には、４本の縦リブ２６が周囲等分する位置に設けられている。各縦リブ２６は、上軸部２２の上下中間より少し下側まで延びて幅広に形成された上リブ２７と、上リブ２７から先端２５に延びて幅細に形成された下リブ２８とからなる。下リブ２８は上リブ２７よりも張出量ないしは高さが少し低く設けられている。また、上下リブ２７，２８の接続部は、リブ幅が上から下向きに細くなるテーパー２７ａと、リブ高さが下向きに低くなるテーパー２８ａとを介在して連続形成されている。下リブ２８は、先端２５に対応した下側が次第に低くなるテーパー２８ｂに形成されている。
【００２３】
以上のピン構造では、下軸部２４の外周にあって、縦リブ２８同士の間の部分と、上側のテーパー部２３ｂと、先端２５の内側端面とにより仮組付け用窪み部２９を区画形成している。先端２５は、茸状をなし、外周が下から上に行くほど径大となるよう形成されており、上記テーパー２８ｂと同じくパネル等の貫通孔に挿入し易くなっている。
【００２４】
これに対し、グロメット３は、図５〜図７に例示されるごとく樹脂成形品であり、脚部３０及び脚部３０の上端外周に突設された鍔部３５を有している点、脚部３０が複数の脚片３２からなる点、鍔部３５が薄肉状のヒンジ部３７を介して連結された鍔半体３５Ａ,３５Ｂからなり、かつ脚片同士の隙間３１に通じるよう切り欠いた開口３４を有している点、ピン２及びグロメット３が軸部２１の脚部３０内への押し入れよって仮組付け態様（図２を参照）となり、軸部２１の更なる押し入れによって脚部３０を拡開した本止め態様（図１と図３を参照）となる点で引用文献１のものとほぼ同じ。工夫点は、特に、鍔部３５が開口３４を挟んで対向している一方端部側（この例では鍔半体３５Ａの端部側）に設けられたフック部３８、及び他方端部側（この例では鍔半体３５Ｂの端部側）に設けられて開口３４をフック部３８とで閉じると共に相対的に所定距離だけ移動可能となるようフック部３８に係合する係合部３９を有している点、ヒンジ部３７及び脚部３０の形状や細部構成の点にある。以下、これらの要部について詳述する。
【００２５】
グロメット３の全体形状は、成形したままの状態だと、脚部３０及び鍔部３５が幅方向に広がった概略楕円筒形状であり、成形後にフック部３８と係合部３９とを係合した状態だと、脚部３０及び鍔部３５が円筒形に近づいた概略円筒形状となる。
【００２６】
脚部３０は、上端外周に鍔部３５を突出形成しているとともに、周囲等間でそれぞれ軸方向へ延びている４本の上下スリットである隙間３１により４個の脚片３２に分割されている。各隙間３１は、脚部先端（下端）から略上下中間までが狭い小隙間３１ａ、それよりも上側が小隙間３１ａよりも広い大隙間３１ｂとなっている。これは、図２から推察されるごとく小隙間３１ａが上記した下リブ２８に対応して狭く、大隙間３１ｂが上記した上リブ２７に対応して広くなっている。
【００２７】
各脚片３２は、パネル等の貫通孔に挿入し易くするため先端３２ａが共に内向きに絞られているとともに、図３のごとく内側の先端付近に凸形の係止爪３３が設けられている。すなわち、この構造では、図２のごとくピンの軸部２１を脚部３２内へ途中まで挿入して各脚片の係止爪３３が脚部の窪み部２９に嵌合した仮組付け態様となり、更にピン軸部２１を図３のごとく最後まで押し込むと本止め態様となる。仮組付け態様では各脚片３２は拡開変位されない。本止め態様では、各脚片の係止爪３３が係止軸部側段差２３ａと係合し、各脚片３２が最大まで拡開変位される。
【００２８】
鍔部３５は、図６（ａ）を参照してグロメット３の成形したままの態様で説明すると、鍔半体３５Ａと鍔半体３５Ｂとがヒンジ部３７を介して拡縮変位可能に一体化されているとともに、各鍔半体の端部が開口３４を挟んで対向配置されている。
【００２９】
このうち、鍔半体３５Ａの端部にはフック部３８が設けられ、鍔半体３５Ｂの端部には係合部３９が設けられている。各鍔半体３５Ａ,３５Ｂの内面の中間部には凹部３６がそれぞれ設けられている。各凹部３６は、２つの脚片３２間と、残りの２つの脚片３２間の隙間３１（の大隙間３１ｂ）とに連通している。ヒンジ部３７は、鍔部３５の外周側に設けられてフック部３８とほぼ対向している。また、ヒンジ部３７は、後述するごとくフック部３８と係合部３９とが係合した状態で、内面側空間部である凹部３６ａが対応する脚片３２間の隙間３１（の大隙間３１ｂ）と連通している。フック部３８は、内面側空間部である凹部３６ｂが対応する脚片３２間の隙間３１（の大隙間３１ｂ）と連通している。
【００３０】
フック部３８及び係合部３９は、鍔半体３５Ａ,３５Ｂ同士が図６（ｂ）のごとくヒンジ部３７を介して接近する方向に動かされたとき互いに上下に重ねられるよう設けられている。フック部３８は、側面視で、鍔半体３５Ａの下面とほぼ面一で、かつと鍔部３５の厚さより薄い平板部３８ａと、平板部３８ａの上面側先端に立設された掛止部３８ｂとからなる。係合部３９は、鍔半体３５Ｂの下面側より逆凹状に切り欠いた窪み部３９ａと、窪み部３９ａを区画している端側の係止用片部３９ｂとからなる。
【００３１】
以上のフック部３８と係合部３９は、図６（ｂ）のごとく鍔半体３５Ａ,３５Ｂの一方がヒンジ部３７を介して他方側に動かされたり、鍔半体３５Ａ,３５Ｂ同士がヒンジ部３７を介して接近する方向に動かされて、掛止部３８ｂが窪み部３８ｂに入ったときに係合される。この係合構造では、フック部３８が係合部３９に係合された状態において、鍔半体３５Ａ,３５Ｂ同士がヒンジ部３７の弾性力に抗して、図６〜図８の各（ｂ）の実線で示した拡径態様から、図６〜図８の各（ｂ）の一点鎖線で示したように互いに近づく縮径方向に移動されるようになっている。
【００３２】
（作動）以上のクリップ１は、ピン２がグロメット３に対し軸部２１を脚部３０内に挿に挿入されると、上記したごとく各脚片３２の係止爪３３が凹所２９と係合して仮組付け態様となり、更に押し入れられると図３のごとく各脚片３２が拡開されると共に、脚片３２の係止爪３３が係止軸部側段差２３ａと係合して本止め態様となる。本止め態様では、図１及び図３（ａ）のごとく脚部３０が板部材６，４の取付孔７，５に挿入された状態で、鍔部３５と各脚片３２の拡開した基端部分との間で板部材６，４を挟持した態様となり、例えば、物品側の板部材６をハウジングやパネル等の板部材４に固定したり、板部材６，４同士を連結することができる。これらは従来とほぼ同じであるが、以上の形態例では次のような点で従来と全く異なっている。
【００３３】
（ア）以上の形態例では、グロメット３が図２のごとくピン２を仮組付けした態様において、フック部３８を係合部３９に係合しておくことで開口３４の拡開を阻止して、ピン２が不用意に外れないよう保持できる。これにより、この構造では、ピン２をグロメット３に仮組付けした後は外力を受けてもピン２が不用意に外れたり落下しなくなるので、搬送作業や部品管理などを効率よく行うことができる。
【００３４】
（イ）図２と図３の各（ｂ）は、板部材４，６の貫通孔５ａ,７ａが同図の各（ａ）の貫通孔５,７よりも小さな孔径（Ｌ1寸法がＬ寸法より小さい）となっている。以上の構造では、鍔半体３５Ａ,３５Ｂ同士をヒンジ部３７の弾性力に抗して図６〜図８の各（ｂ）の実線で示した拡径態様から、各（ｂ）の一点鎖線で示したように互いに近づく縮径方向に移動すると、孔径が標準よりも小さくなっている貫通孔５ａ,７ａにも負荷を受けずに挿入できる。
【００３５】
（ウ）しかも、鍔半体３５Ａ，３５Ｂ同士は、フック部３８と係合部３９の係合状態において、ヒンジ部３７の弾性力に抗して縮径方向に移動されるため、各図（ｂ）のごとく貫通孔５ａ,７ａに入れた挿入状態で手や指を離すと、拡径方向に変位して孔内に拘束され易くなる。これによって、この構造では、図２の仮組付けの態様においてクリップ１に振動が加わってもクリップ１の不用意な抜けや浮き上がりなどがなくなって使い勝手を向上できる。以上の利点は、クリップ１で２以上の板部材を連結する例として、図５（ｃ）のごとく各板部材８の貫通孔９ａが同図の（ｂ）よりも小さな孔径（Ｌ1寸法がＬ寸法より小さい）となっているときも同じである。
【００３６】
なお、本発明のグロメットは、請求項１で特定される構成を備えておればよく、細部は形態例を参考にして変更したり展開可能なものである。その例としては、グロメットとしてはフック部と係合部とを上下逆に設けたり、ピンとしては図１の使用状態から引き抜くときに利用する溝や突部を頭部に付設することである。
【符号の説明】
【００３７】
１・・・クリップ
２・・・ピン（２０は頭部、２１は軸部）
３・・・グロメット（３４は開口、３７はヒンジ部）
４,６,８・・・板部材（５と５ａは貫通孔、７と７ａは貫通孔、９は貫通孔）
２１・・・軸部（２２は上軸部、２３は係止軸部、２４は下軸部）
２３ａ・・・係止部
２６・・・縦リブ（２７は上リブ、２８は下リブ）
２９・・・仮組付け用凹所
３０・・・脚部（３１は隙間、３２は脚片、３３は係止爪）
３５・・・鍔部（３５Ａと３５Ｂは鍔半体）
３９・・・係合部（３９ａは逃げ部、３９ｂは規制部）
３８・・・フック部（３８ａは平板部、３８ｂは掛止部）
３９・・・係合部（３９ａは逃げ部、３９ｂは規制部）
【図１】
2012246963.tif 000003
【図２】
2012246963.tif 000004
【図３】
2012246963.tif 000005
【図４】
2012246963.tif 000006
【図５】
2012246963.tif 000007
【図６】
2012246963.tif 000008
【図７】
2012246963.tif 000009
【図８】
2012246963.tif 000010
【図９】
2012246963.tif 000011